【手続補正書】
【提出日】平成30年10月16日(2018.10.16)
【手続補正１】
【補正対象書類名】特許請求の範囲
【補正対象項目名】全文
【補正方法】変更
【補正の内容】
【特許請求の範囲】
【請求項１】
内部に液体を貯留することが可能な液体収納容器と、
キャリッジ上に設けられ、内部に液体を保持可能な保持部材を有する液体収容部と、液
体を吐出する液体吐出部とを有するヘッドと、
前記液体収納容器と前記液体収容部との間を接続し、前記液体収納容器の内部に貯留さ
れた液体を前記液体収容部に供給する可撓性部材と、を備えた液体吐出装置であって、
前記液体収容部の内部空間は直方体の形状であり、
前記ヘッドが前記キャリッジ上に設けられた姿勢において、前記内部空間における水平
面に沿った断面の長辺の長さを、前記保持部材における重力方向に沿う長さで割った値が
、１．５以上であり、
前記液体収容部の前記内部空間は、蓋部材で覆われており、前記蓋部材は押さえリブを備えており、前記押さえリブは前記保持部材を押さえており、
前記液体収容部の内部に開口され、前記液体収納容器から供給される液体の前記液体収容部の内部への入口である供給口が、前記液体収容部における前記内部空間から前記液体吐出部に液体の供給される液体流路と前記内部空間とが連通した流路入口の形成された位置に対向した位置からオフセットされた位置に形成されており、
前記液体収容部の前記内部空間を、前記長辺の延在する方向に３等分されて３つのエリ
アに分割したとき、
前記３つのエリアのうち、前記長辺の延在する方向に沿った一方の端部のエリアに、前
記流路入口が形成され、
前記３つのエリアのうち、前記長辺の延在する方向に沿った中央のエリアに、前記供給
口が形成されていることを特徴とする液体吐出装置。
【請求項２】
前記キャリッジは、往復移動を行うことが可能に構成され、
前記内部空間における水平面に沿った断面の前記長辺は、前記キャリッジによる往復移動の移動方向に交差する方向に延在する辺である請求項１に記載の液体吐出装置。
【請求項３】
前記ヘッドが前記キャリッジ上に設けられた姿勢において、前記内部空間における水平面に沿った断面の長辺の長さを、前記内部空間における水平面に沿った断面の短辺の長さで割った値が、２．０以上である請求項１または請求項２に記載の液体吐出装置。
【請求項４】
前記保持部材が、ポリオレフィン系樹脂の繊維によって形成されている請求項１から３
のいずれか１項に記載の液体吐出装置。
【請求項５】
前記液体吐出部と前記液体収容部との間に流路があり、前記流路にはフィルターが設けられている請求項１ないし４のいずれか１項に記載の液体吐出装置。
【請求項６】
前記フィルターと前記保持部材とは、互いに圧接している請求項５に記載の液体吐出装置。
【請求項７】
キャリッジ上に設けられることが可能で、内部に液体を貯留することが可能な液体収容部と、液体を吐出する液体吐出部とを有するヘッドであって、
内部に液体を貯留することが可能な液体収納容器に可撓性部材を介して接続され、前記液体収納容器の内部に貯留された液体が前記可撓性部材を通って前記液体収容部の内部に供給され、
前記液体収容部の内部には、液体を保持可能な保持部材が配置され、
前記液体収容部の内部空間が直方体の形状に形成され、
前記キャリッジ上に設けられた姿勢において、前記内部空間における水平面に沿った断
面の長辺の長さを、前記保持部材における重力方向に沿う長さで割った値が１．５以上で
あり、
前記液体収容部の前記内部空間は、蓋部材で覆われており、前記蓋部材は押さえリブを備えており、前記押さえリブは前記保持部材を押さえており、
前記液体収容部の内部に開口され、前記液体収納容器から供給される液体の前記液体収容部の内部への入口である供給口が、前記液体収容部における前記内部空間から前記液体吐出部に液体の供給される液体流路と前記内部空間とが連通した流路入口の形成された位置に対向した位置からオフセットされた位置に形成されており、
前記液体収容部の前記内部空間を、前記長辺の延在する方向に３等分されて３つのエリ
アに分割したとき、
前記３つのエリアのうち、前記長辺の延在する方向に沿った一方の端部のエリアに、前
記流路入口が形成され、
前記３つのエリアのうち、前記長辺の延在する方向に沿った中央のエリアに、前記供給
口が形成されていることを特徴とするヘッド。
【請求項８】
前記液体吐出部と前記液体収容部との間に流路があり、前記流路にはフィルターが設けられている請求項７に記載のヘッド。
【請求項９】
前記フィルターと前記保持部材とは、互いに圧接している請求項８に記載のヘッド。
【請求項１０】
前記キャリッジは、往復移動を行うことが可能に構成され、
前記内部空間における水平面に沿った断面の前記長辺は、前記キャリッジによる往復移動の移動方向に交差する方向に延在する辺である請求項７から９のいずれか１項に記載のヘッド。
【請求項１１】
前記ヘッドが前記キャリッジ上に設けられた姿勢において、前記内部空間における水平面に沿った断面の長辺の長さを、前記内部空間における水平面に沿った断面の短辺の長さで割った値が、２．０以上である請求項７から１０のいずれか１項に記載のヘッド。
【請求項１２】
前記保持部材が、ポリオレフィン系樹脂の繊維によって形成されている請求項７から１１のいずれか１項に記載のヘッド。
【手続補正２】
【補正対象書類名】明細書
【補正対象項目名】発明の名称
【補正方法】変更
【補正の内容】
【発明の名称】液体吐出装置及びヘッド
【手続補正３】
【補正対象書類名】明細書
【補正対象項目名】０００１
【補正方法】変更
【補正の内容】
【０００１】
本発明は、液体吐出装置及びヘッドに関する。
【手続補正４】
【補正対象書類名】明細書
【補正対象項目名】０００５
【補正方法】変更
【補正の内容】
【０００５】
そこで、本発明は上記の事情に鑑み、液体収容部の内部で液体が安定して収容される液体吐出装置及びヘッドを提供することを目的とする。
【手続補正５】
【補正対象書類名】明細書
【補正対象項目名】０００６
【補正方法】変更
【補正の内容】
【０００６】
本発明は、内部に液体を貯留することが可能な液体収納容器と、キャリッジ上に設けられ、内部に液体を保持可能な保持部材を有する液体収容部と、液体を吐出する液体吐出部とを有するヘッドと、前記液体収納容器と前記液体収容部との間を接続し、前記液体収納容器の内部に貯留された液体を前記液体収容部に供給する可撓性部材と、を備えた液体吐出装置であって、前記液体収容部の内部空間は直方体の形状であり、前記ヘッドが前記キャリッジ上に設けられた姿勢において、前記内部空間における水平面に沿った断面の長辺の長さを、前記保持部材における重力方向に沿う長さで割った値が、１．５以上であり、前記液体収容部の前記内部空間は、蓋部材で覆われており、前記蓋部材は押さえリブを備えており、前記押さえリブは前記保持部材を押さえており、前記液体収容部の内部に開口され、前記液体収納容器から供給される液体の前記液体収容部の内部への入口である供給口が、前記液体収容部における前記内部空間から前記液体吐出部に液体の供給される液体流路と前記内部空間とが連通した流路入口の形成された位置に対向した位置からオフセットされた位置に形成されており、前記液体収容部の前記内部空間を、前記長辺の延在する方向に３等分されて３つのエリアに分割したとき、前記３つのエリアのうち、前記長辺の延在する方向に沿った一方の端部のエリアに、前記流路入口が形成され、前記３つのエリアのうち、前記長辺の延在する方向に沿った中央のエリアに、前記供給口が形成されていることを特徴とする液体吐出装置である。
【手続補正６】
【補正対象書類名】明細書
【補正対象項目名】０００７
【補正方法】変更
【補正の内容】
【０００７】
本発明によれば、液体収容部の内部で液体が安定して収容される液体吐出装置及びヘッドを提供することができる。